【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信の方法であって、
前記少なくとも１つのＦＤＤコンポーネントキャリアのダウンリンクのための第１の参照サブフレーム構成を決定することと、
前記少なくとも１つのＦＤＤコンポーネントキャリアのアップリンクのための第２の参照サブフレーム構成を決定することと、
前記第１の参照サブフレーム構成の一部ではない前記少なくとも１つのＦＤＤコンポーネントキャリア中の少なくとも１つのダウンリンクサブフレームを識別することと、
前記少なくとも１つのＦＤＤコンポーネントキャリアからのセルフキャリアスケジューリング、または前記少なくとも１つのＴＤＤコンポーネントキャリアからのクロスキャリアスケジューリングのうちの１つを介して、前記少なくとも１つの識別されたダウンリンクサブフレーム中にスケジューリング情報を受信することと、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信することと、を備え、
前記少なくとも１つのＦＤＤコンポーネントキャリア上で通信することは、前記第１の参照サブフレーム構成または前記第２の参照サブフレーム構成に基づいて、ハイブリッド自動再送要求（ＨＡＲＱ）タイミングまたはスケジューリングタイミングの少なくとも１つを決定することを備える、方法。
【請求項２】
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定することをさらに備える、請求項１に記載の方法。
【請求項３】
前記少なくとも１つのＦＤＤコンポーネントキャリアの前記アップリンクのための前記第２の参照サブフレーム構成を決定することは、
前記第２の参照サブフレーム構成が前記第１の参照サブフレーム構成と同じであると決定することを備える、請求項１に記載の方法。
【請求項４】
前記第１の参照サブフレーム構成を決定することは、
前記少なくとも１つのＴＤＤコンポーネントキャリアのサブフレーム構成を決定することと、
前記第１の参照サブフレーム構成が、前記少なくとも１つのＴＤＤコンポーネントキャリアに対して決定された前記サブフレーム構成と同じであると決定することと、
を備える、請求項３に記載の方法。
【請求項５】
前記少なくとも１つのＦＤＤコンポーネントキャリアの前記アップリンクのための前記第２の参照サブフレーム構成を決定することは、
前記決定された第１の参照サブフレーム構成とは異なる参照サブフレーム構成を決定することを備える、請求項１に記載の方法。
【請求項６】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項１に記載の方法。
【請求項７】
前記少なくとも１つのＦＤＤコンポーネントキャリアは少なくとも２つのＦＤＤコンポーネントキャリアを備え、
前記少なくとも１つのＦＤＤコンポーネントキャリアの前記ダウンリンクのための前記第１の参照サブフレーム構成を決定することは、前記少なくとも２つのＦＤＤコンポーネントキャリアの前記ダウンリンクのための前記第１の参照サブフレーム構成を決定することを備え、
前記少なくとも１つのＦＤＤコンポーネントキャリアの前記アップリンクのための前記第２の参照サブフレーム構成を決定することは、前記少なくとも２つのＦＤＤコンポーネントキャリアの前記アップリンクのための前記第２の参照サブフレーム構成を決定することを備える、請求項１に記載の方法。
【請求項８】
前記第１の参照サブフレーム構成の前記決定と前記第２の参照サブフレーム構成の前記決定の少なくとも１つは、前記少なくとも１つのＴＤＤコンポーネントキャリアのために決定されるサブフレーム構成に少なくとも一部基づく、請求項４に記載の方法。
【請求項９】
前記第１の参照サブフレーム構成の前記決定と前記第２の参照サブフレーム構成の前記決定の少なくとも１つは、前記デバイスの複信能力に少なくとも一部基づく、請求項１に記載の方法。
【請求項１０】
前記デバイスはマルチキャリア通信のための半複信デバイスを備える、請求項９に記載の方法。
【請求項１１】
前記第１の参照サブフレーム構成において少なくとも１つの特殊サブフレームを識別することと、
前記少なくとも１つの識別された特殊サブフレームを通常のダウンリンクサブフレームとして扱うことと、
をさらに備える、請求項１に記載の方法。
【請求項１２】
前記少なくとも１つの識別されたダウンリンクサブフレームに対する確認応答／否定確認応答（ＡＣＫ／ＮＡＫ）フィードバックを提供することをさらに備える、請求項１に記載の方法。
【請求項１３】
前記少なくとも１つの識別されたダウンリンクサブフレームに対する前記ＡＣＫ／ＮＡＫフィードバックは、前記第１の参照サブフレーム構成の少なくとも１つのダウンリンクサブフレーム部分に対する前記ＡＣＫ／ＮＡＫフィードバックとともに、同じアップリンクサブフレームにおいて提供される、請求項１２に記載の方法。
【請求項１４】
前記第１の参照サブフレーム構成を決定することは、１つまたは複数の受信された信号に少なくとも一部基づく、請求項１に記載の方法。
【請求項１５】
前記第１の参照サブフレーム構成または前記第２の参照サブフレーム構成のうちの少なくとも１つを決定することは、前記少なくとも１つのＴＤＤコンポーネントキャリアのサブフレーム構成に少なくとも一部基づく、請求項１に記載の方法。
【請求項１６】
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信のための装置であって、
前記少なくとも１つのＦＤＤコンポーネントキャリアのダウンリンクのための第１の参照サブフレーム構成を決定するための手段と、
前記少なくとも１つのＦＤＤコンポーネントキャリアのアップリンクのための第２の参照サブフレーム構成を決定するための手段と、
前記第１の参照サブフレーム構成の一部ではない前記少なくとも１つのＦＤＤコンポーネントキャリア中の少なくとも１つのダウンリンクサブフレームを識別するための手段と、
前記少なくとも１つのＦＤＤコンポーネントキャリアからのセルフキャリアスケジューリング、または前記少なくとも１つのＴＤＤコンポーネントキャリアからのクロスキャリアスケジューリングのうちの１つを介して、前記少なくとも１つの識別されたダウンリンクサブフレーム中にスケジューリング情報を受信するための手段と、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信するための手段と、を備え、
前記少なくとも１つのＦＤＤコンポーネントキャリア上で通信することは、前記第１の参照サブフレーム構成または前記第２の参照サブフレーム構成に基づいて、ハイブリッド自動再送要求（ＨＡＲＱ）タイミングまたはスケジューリングタイミングの少なくとも１つを決定することを備える、装置。
【請求項１７】
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定するための手段をさらに備える、請求項１６に記載の装置。
【請求項１８】
前記少なくとも１つのＦＤＤコンポーネントキャリアの前記アップリンクのための前記第２の参照サブフレーム構成を決定するための前記手段は、前記第２の参照サブフレーム構成が前記第１の参照サブフレーム構成と同じであると決定する、請求項１６に記載の装置。
【請求項１９】
前記第１の参照サブフレーム構成を決定するための前記手段は、前記少なくとも１つのＴＤＤコンポーネントキャリアのサブフレーム構成を決定し、前記第１の参照サブフレーム構成が、前記少なくとも１つのＴＤＤコンポーネントキャリアに対して決定された前記サブフレーム構成と同じであると決定する、請求項１８に記載の装置。
【請求項２０】
前記少なくとも１つのＦＤＤコンポーネントキャリアの前記アップリンクのための前記第２の参照サブフレーム構成を決定するための前記手段は、前記第１の参照サブフレーム構成とは異なる参照サブフレーム構成を決定する、請求項１６に記載の装置。
【請求項２１】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項１６に記載の装置。
【請求項２２】
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信のための装置であって、
プロセッサと、
前記プロセッサに結合されたメモリと、を備え、前記プロセッサは、
前記少なくとも１つのＦＤＤコンポーネントキャリアのダウンリンクのための第１の参照サブフレーム構成を決定し、
前記少なくとも１つのＦＤＤコンポーネントキャリアのアップリンクのための第２の参照サブフレーム構成を決定し、
前記第１の参照サブフレーム構成の一部ではない前記少なくとも１つのＦＤＤコンポーネントキャリア中の少なくとも１つのダウンリンクサブフレームを識別し、
前記少なくとも１つのＦＤＤコンポーネントキャリアからのセルフキャリアスケジューリング、または前記少なくとも１つのＴＤＤコンポーネントキャリアからのクロスキャリアスケジューリングのうちの１つを介して、前記少なくとも１つの識別されたダウンリンクサブフレーム中にスケジューリング情報を受信し、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信する
ように構成され、
前記少なくとも１つのＦＤＤコンポーネントキャリア上で通信することは、前記第１の参照サブフレーム構成または前記第２の参照サブフレーム構成に基づいて、ハイブリッド自動再送要求（ＨＡＲＱ）タイミングまたはスケジューリングタイミングの少なくとも１つを決定することを備える、装置。
【請求項２３】
前記プロセッサはさらに、
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定するように構成される、請求項２２に記載の装置。
【請求項２４】
前記プロセッサはさらに、
前記第２の参照サブフレーム構成が前記第１の参照サブフレーム構成と同じであると決定するように構成される、請求項２２に記載の装置。
【請求項２５】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項２２に記載の装置。
【請求項２６】
プロセッサによって実行可能な命令を記憶するための非一時的コンピュータ可読媒体であって、前記命令は、
少なくとも１つのＦＤＤコンポーネントキャリアのダウンリンクのための第１の参照サブフレーム構成を決定するための命令と、
前記少なくとも１つのＦＤＤコンポーネントキャリアのアップリンクのための第２の参照サブフレーム構成を決定するための命令と、
前記第１の参照サブフレーム構成の一部ではない前記少なくとも１つのＦＤＤコンポーネントキャリア中の少なくとも１つのダウンリンクサブフレームを識別するための命令と、
前記少なくとも１つのＦＤＤコンポーネントキャリアからのセルフキャリアスケジューリング、または前記少なくとも１つのＴＤＤコンポーネントキャリアからのクロスキャリアスケジューリングのうちの１つを介して、前記少なくとも１つの識別されたダウンリンクサブフレーム中にスケジューリング情報を受信するための命令と、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信するための命令と、を備え、
前記少なくとも１つのＦＤＤコンポーネントキャリア上で通信することは、前記第１の参照サブフレーム構成または前記第２の参照サブフレーム構成に基づいて、ハイブリッド自動再送要求（ＨＡＲＱ）タイミングまたはスケジューリングタイミングの少なくとも１つを決定することを備える、非一時的コンピュータ可読媒体。
【請求項２７】
少なくとも１つのＴＤＤコンポーネントキャリアを一次的コンポーネントキャリアとして決定し、前記少なくとも１つのＦＤＤコンポーネントキャリアを二次的コンポーネントキャリアとして決定するための命令をさらに備える、請求項２６に記載の非一時的コンピュータ可読媒体。
【請求項２８】
前記少なくとも１つのＦＤＤコンポーネントキャリアの前記アップリンクのための前記第２の参照サブフレーム構成を決定するための前記命令は、
前記第２の参照サブフレーム構成が前記第１の参照サブフレーム構成と同じであると決定するための命令を備える、請求項２６に記載の非一時的コンピュータ可読媒体。
【請求項２９】
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、請求項２６に記載の非一時的コンピュータ可読媒体。
【手続補正２】
【補正対象書類名】明細書
【補正対象項目名】０１４９
【補正方法】変更
【補正の内容】
【０１４９】
[0164]本開示の前述の説明は、当業者が本開示を実施または使用することを可能にするために与えられる。本開示への様々な変更が当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示された原理および新規の特徴に一致する最も広い範囲を与えられるべきである。
以下に、本願の出願当初の特許請求の範囲に記載された発明を付記する。
［Ｃ１］
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信の方法であって、
前記少なくとも１つのＦＤＤコンポーネントキャリアのダウンリンクのための第１の参照サブフレーム構成を決定することと、
前記少なくとも１つのＦＤＤコンポーネントキャリアのアップリンクのための第２の参照サブフレーム構成を決定することと、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信することと、を備え、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、方法。
［Ｃ２］
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定することをさらに備える、Ｃ１に記載の方法。
［Ｃ３］
前記少なくとも１つのＦＤＤコンポーネントキャリアの前記アップリンクのための前記第２の参照サブフレーム構成を決定することは、
前記第１の参照サブフレーム構成と同じである前記第２の参照サブフレーム構成を決定することを備える、Ｃ１に記載の方法。
［Ｃ４］
前記第１の参照サブフレーム構成を決定することは、
前記少なくとも１つのＴＤＤコンポーネントキャリアのサブフレーム構成を決定することと、
前記少なくとも１つのＴＤＤコンポーネントキャリアに対して決定された前記サブフレーム構成と同じである前記第１の参照サブフレーム構成を決定することと、
を備える、Ｃ３に記載の方法。
［Ｃ５］
前記少なくとも１つのＦＤＤコンポーネントキャリアの前記アップリンクのための前記第２の参照サブフレーム構成を決定することは、
前記決定された第１の参照サブフレーム構成とは異なる参照サブフレーム構成を決定することを備える、Ｃ１に記載の方法。
［Ｃ６］
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、Ｃ１に記載の方法。
［Ｃ７］
前記少なくとも１つのＦＤＤコンポーネントキャリアは少なくとも２つのＦＤＤコンポーネントキャリアを備え、
前記少なくとも１つのＦＤＤコンポーネントキャリアの前記ダウンリンクのための前記第１の参照サブフレーム構成を決定することは、前記少なくとも２つのＦＤＤコンポーネントキャリアの前記ダウンリンクのための前記第１の参照サブフレーム構成を決定することを備え、
前記少なくとも１つのＦＤＤコンポーネントキャリアの前記アップリンクのための前記第２の参照サブフレーム構成を決定することは、前記少なくとも２つのＦＤＤコンポーネントキャリアの前記アップリンクのための前記第２の参照サブフレーム構成を決定することを備える、Ｃ１に記載の方法。
［Ｃ８］
前記第１の参照サブフレーム構成の前記決定と前記第２の参照サブフレーム構成の前記決定の少なくとも１つは、前記少なくとも１つのＴＤＤコンポーネントキャリアのために決定されるサブフレーム構成に少なくとも一部基づく、Ｃ４に記載の方法。
［Ｃ９］
前記第１の参照サブフレーム構成の前記決定と前記第２の参照サブフレーム構成の前記決定の少なくとも１つは、前記デバイスの複信能力に少なくとも一部基づく、Ｃ１に記載の方法。
［Ｃ１０］
前記第１の参照サブフレーム構成において少なくとも１つの特殊サブフレームを識別することと、
前記少なくとも１つの識別された特殊サブフレームを通常のダウンリンクサブフレームとして扱うことと、
をさらに備える、Ｃ１に記載の方法。
［Ｃ１１］
前記第１の参照サブフレーム構成の一部ではない前記少なくとも１つのＦＤＤコンポーネントキャリア中の少なくとも１つのダウンリンクサブフレームを識別することと、
ＦＤＤコンポーネントキャリアからのセルフキャリアスケジューリングとＴＤＤコンポーネントキャリアからのクロスキャリアスケジューリングとのうちの１つでスケジューリングするために、前記少なくとも１つの識別されたダウンリンクサブフレームを使用することとをさらに備える、Ｃ１に記載の方法。
［Ｃ１２］
前記少なくとも１つの識別されたダウンリンクサブフレームに対する確認応答／否定確認応答（ＡＣＫ／ＮＡＫ）フィードバックを提供することをさらに備える、Ｃ１１に記載の方法。
［Ｃ１３］
前記少なくとも１つの識別されたダウンリンクサブフレームに対する前記ＡＣＫ／ＮＡＫフィードバックは、前記第１の参照サブフレーム構成の少なくとも１つのダウンリンクサブフレーム部分に対する前記ＡＣＫ／ＮＡＫフィードバックとともに、同じアップリンクサブフレームにおいて提供される、Ｃ１２に記載の方法。
［Ｃ１４］
前記第１の参照サブフレーム構成を決定することは、１つまたは複数の受信された信号に少なくとも一部基づく、Ｃ１に記載の方法。
［Ｃ１５］
前記デバイスはマルチキャリア通信のための半複信デバイスを備える、Ｃ９に記載の方法。
［Ｃ１６］
前記第１の参照サブフレーム構成または前記第２の参照サブフレーム構成のうちの少なくとも１つを決定することは、前記少なくとも１つのＴＤＤコンポーネントキャリアのサブフレーム構成に少なくとも一部基づく、Ｃ１に記載の方法。
［Ｃ１７］
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信のための装置であって、
前記少なくとも１つのＦＤＤコンポーネントキャリアのダウンリンクのための第１の参照サブフレーム構成を決定するための手段と、
前記少なくとも１つのＦＤＤコンポーネントキャリアのアップリンクのための第２の参照サブフレーム構成を決定するための手段と、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信するための手段と、を備え、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、装置。
［Ｃ１８］
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定するための手段をさらに備える、Ｃ１７に記載の装置。
［Ｃ１９］
前記少なくとも１つのＦＤＤコンポーネントキャリアの前記アップリンクのための前記第２の参照サブフレーム構成を決定するための前記手段は、前記第１の参照サブフレーム構成と同じである前記第２の参照サブフレーム構成を決定する、Ｃ１７に記載の装置。
［Ｃ２０］
前記第１の参照サブフレーム構成を決定するための前記手段は、前記少なくとも１つのＴＤＤコンポーネントキャリアのサブフレーム構成を決定し、前記少なくとも１つのＴＤＤコンポーネントキャリアに対して決定された前記サブフレーム構成と同じである前記第１の参照サブフレーム構成を決定する、Ｃ１９に記載の装置。
［Ｃ２１］
前記少なくとも１つのＦＤＤコンポーネントキャリアの前記アップリンクのための前記第２の参照サブフレーム構成を決定するための前記手段は、前記第１の参照サブフレーム構成とは異なる参照サブフレーム構成を決定する、Ｃ１７に記載の装置。
［Ｃ２２］
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、Ｃ１７に記載の装置。
［Ｃ２３］
ワイヤレス通信ネットワークにおける少なくとも１つの時分割複信（ＴＤＤ）コンポーネントキャリアと少なくとも１つの周波数分割複信（ＦＤＤ）コンポーネントキャリアとを利用するデバイスのためのマルチキャリア通信のための装置であって、
プロセッサと、
前記プロセッサに結合されたメモリと、を備え、前記プロセッサは、
前記少なくとも１つのＦＤＤコンポーネントキャリアのダウンリンクのための第１の参照サブフレーム構成を決定し、
前記少なくとも１つのＦＤＤコンポーネントキャリアのアップリンクのための第２の参照サブフレーム構成を決定し、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信する
ように構成され、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、装置。
［Ｃ２４］
前記プロセッサはさらに、
前記少なくとも１つのＴＤＤコンポーネントキャリアを一次的コンポーネントキャリアとして決定し、前記少なくとも１つのＦＤＤコンポーネントキャリアを二次的コンポーネントキャリアとして決定するように構成される、Ｃ２３に記載の装置。
［Ｃ２５］
前記プロセッサはさらに、
前記第１の参照サブフレーム構成と同じである前記第２の参照サブフレーム構成を決定するように構成される、Ｃ２３に記載の装置。
［Ｃ２６］
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、Ｃ２３に記載の装置。
［Ｃ２７］
プロセッサによって実行可能な命令を記憶するための非一時的コンピュータ可読媒体であって、前記命令は、
少なくとも１つのＦＤＤコンポーネントキャリアのダウンリンクのための第１の参照サブフレーム構成を決定するための命令と、
前記少なくとも１つのＦＤＤコンポーネントキャリアのアップリンクのための第２の参照サブフレーム構成を決定するための命令と、
前記決定された第１の参照サブフレーム構成および第２の参照サブフレーム構成に従って、それぞれのダウンリンク方向およびアップリンク方向に、前記少なくとも１つのＦＤＤコンポーネントキャリア上で通信するための命令と、を備え、
前記少なくとも１つのＦＤＤコンポーネントキャリア上で通信することは、前記第１の参照サブフレーム構成または前記第２の参照サブフレーム構成に基づいて、ハイブリッド自動再送（ＨＡＲＱ）タイミングまたはスケジューリングタイミングの少なくとも１つを決定することを備える、非一時的コンピュータ可読媒体。
［Ｃ２８］
少なくとも１つのＴＤＤコンポーネントキャリアを一次的コンポーネントキャリアとして決定し、前記少なくとも１つのＦＤＤコンポーネントキャリアを二次的コンポーネントキャリアとして決定するための命令をさらに備える、Ｃ２７に記載の非一時的コンピュータ可読媒体。
［Ｃ２９］
前記少なくとも１つのＦＤＤコンポーネントキャリアの前記アップリンクのための前記第２の参照サブフレーム構成を決定するための前記命令は、
前記第１の参照サブフレーム構成と同じである前記第２の参照サブフレーム構成を決定するための命令を備える、Ｃ２７に記載の非一時的コンピュータ可読媒体。
［Ｃ３０］
前記第１の参照サブフレーム構成と第２の参照サブフレーム構成のうちの少なくとも１つは、前記少なくとも１つのＦＤＤコンポーネントキャリア上での通信をスケジューリングするためにセルフキャリアスケジューリングが使用されるかクロスキャリアスケジューリングが使用されるかに基づいて決定される、Ｃ２７に記載の非一時的コンピュータ可読媒体。